(57)【要約】【課題】迷惑メールを適切に印刷できる画像出力装置等を提供すること。【解決手段】多機能機１０は、迷惑メールを識別する登録メールアドレスを、第１アクション設定と対応付けてメールアクション設定テーブルに記憶させる。多機能機１０は、迷惑メールを受信した場合に、迷惑メールに対応する第１アクション設定に基づいて迷惑メールデータを印刷する。多機能機１０は、迷惑メール以外の他のメールを受信した場合に、第２アクション設定に基づいて他のメールを印刷する。多機能機１０は、受信した迷惑メールが予め定められた所定条件を満たすことに応じて、迷惑メールの印刷で使用される消耗部材の消費量が少なくなるように第１アクション設定を変化させる。【選択図】図１
2014072616.tif 000002
【特許請求の範囲】
【請求項１】
特定の差出人から送信されてくる電子メールデータである特定電子メールデータを識別する識別情報を、前記特定電子メールデータの印刷方法に関する第１印刷設定と対応付けて記憶部に記憶させる印刷設定記憶手段と、
前記特定電子メールデータを受信した場合に、受信した前記特定電子メールデータに対応する前記第１印刷設定に基づいて前記特定電子メールデータを印刷する印刷手段と、
を備え、
前記印刷設定記憶手段は、受信した前記特定電子メールデータが予め定められた所定条件を満たすことに応じて、前記印刷手段による印刷で使用される消耗部材の消費量が少なくなるように前記第１印刷設定を変化させることを特徴とする画像出力装置。
【請求項２】
前記所定条件は、前記特定電子メールデータに有益な添付ファイルが添付されていないという条件、または、前記特定電子メールデータに有害な添付ファイルが添付されているという条件の何れか一方であることを特徴とする請求項１に記載の画像出力装置。
【請求項３】
前記所定条件は、前記特定電子メールデータ内に予め定められた特定の情報が含まれている条件であることを特徴とする請求項１または２に記載の画像出力装置。
【請求項４】
受信した前記特定電子メールデータを印刷対象として記憶する印刷対象記憶手段をさらに備え、
前記第１印刷設定は、前記特定電子メールデータによって印刷されるページを縮小して、ｎページ（ｎは１以上の自然数）の前記特定電子メールデータを１枚の印刷用紙に印刷する設定であり、
前記印刷手段は、前記印刷対象記憶手段によって記憶された前記特定電子メールデータの印刷ページ数がｎページに到達することに応じて印刷を実行し、
前記印刷対象記憶手段に記憶された印刷対象の前記特定電子メールデータは、前記印刷手段で印刷が実行された場合、印刷対象から削除されることを特徴とする請求項１〜３の何れか１項に記載の画像出力装置。
【請求項５】
前記印刷設定記憶手段は、受信した前記特定電子メールデータが前記所定条件を満たすことに応じて、前記ｎの値を大きくすることを特徴とする請求項４に記載の画像出力装置。
【請求項６】
前記第１印刷設定は、前記特定電子メールデータをｉ通（ｉは１以上の自然数）受信することに応じて、ｉ通の特定電子メールデータのうちの何れか１通を印刷する設定であることを特徴とする請求項１〜３の何れか１項に記載の画像出力装置。
【請求項７】
前記印刷設定記憶手段は、受信した前記特定電子メールデータが前記所定条件を満たすことに応じて、前記ｉの値を大きくすることを特徴とする請求項６に記載の画像出力装置。
【請求項８】
前記印刷設定記憶手段は、受信した前記特定電子メールデータが前記所定条件を満たすことに応じて、前記印刷手段で印刷に使用する色の種類を減少させることを特徴とする請求項１〜７の何れか１項に記載の画像出力装置。
【請求項９】
画像出力装置のコンピュータが読み取り可能なプログラムであって、
前記コンピュータを、
特定の差出人から送信されてくる電子メールデータである特定電子メールデータを識別する識別情報を、前記特定電子メールデータの印刷方法に関する第１印刷設定と対応付けて記憶部に記憶させる印刷設定記憶手段と、
前記特定電子メールデータを受信した場合に、受信した前記特定電子メールデータに対応する前記第１印刷設定に基づいて前記特定電子メールデータを印刷する印刷手段と、
して機能させ、
前記印刷設定記憶手段は、受信した前記特定電子メールデータが予め定められた所定条件を満たすことに応じて、前記印刷手段による印刷で使用される消耗部材の消費量が少なくなるように前記第１印刷設定を変化させることを特徴とするプログラム。
【請求項１０】
特定の差出人から送信されてくる電子メールデータである特定電子メールデータを識別する識別情報を、前記特定電子メールデータの印刷方法に関する第１印刷設定と対応付けて記憶部に記憶させる印刷設定記憶ステップと、
前記特定電子メールデータを受信した場合に、受信した前記特定電子メールデータに対応する前記第１印刷設定に基づいて前記特定電子メールデータを印刷する印刷ステップと、
を備え、
前記印刷設定記憶ステップは、受信した前記特定電子メールデータが予め定められた所定条件を満たすことに応じて、前記印刷ステップによる印刷で使用される消耗部材の消費量が少なくなるように前記第１印刷設定を変化させることを特徴とする画像出力方法。
【発明の詳細な説明】
【技術分野】
【０００１】
本明細書では、電子メールデータを印刷することができる画像出力装置を開示する。
【背景技術】
【０００２】
サーバにアクセスし電子メール受信を行い、受信した電子メールデータを印刷する機能を備える画像出力装置が知られている。また、ユーザが必要としない電子メール（いわゆる迷惑メール）を識別する機能が知られている。なお、関連する技術が、特許文献１に開示されている。
【先行技術文献】
【特許文献】
【０００３】
【特許文献１】特開２００２−５５９３４号公報
【発明の概要】
【発明が解決しようとする課題】
【０００４】
印刷用紙やインクなどの消耗部材の消費量を抑制するために、迷惑メールを印刷しないように設定する場合がある。この場合、誤って迷惑メールであると識別されてしまったメールや、迷惑メールではあるが有益な情報が記載されているようなメールの内容を確認することができず、ユーザが情報を見逃してしまう恐れがある。
【課題を解決するための手段】
【０００５】
本明細書に記載されている画像出力装置は、特定の差出人から送信されてくる電子メールデータである特定電子メールデータを識別する識別情報を、特定電子メールデータの印刷方法に関する第１印刷設定と対応付けて記憶部に記憶させる印刷設定記憶手段と、特定電子メールデータを受信した場合に、受信した特定電子メールデータに対応する第１印刷設定に基づいて特定電子メールデータを印刷する印刷手段と、を備え、印刷設定記憶手段は、受信した特定電子メールデータが予め定められた所定条件を満たすことに応じて、印刷手段による印刷で使用される消耗部材の消費量が少なくなるように第１印刷設定を変化させることを特徴とする。
【０００６】
上記の構成によると、特定電子メールデータを印刷する際に使用する消耗部材の消費量を、特定電子メールデータの内容に応じて動的に変化させることが可能となる。これにより、特定電子メールデータを印刷することによる消耗部材の不要な消費を抑えつつ、特定電子メールデータの内容をユーザに確認させることが可能となる。よって、特定電子メールデータ中の有益な情報をユーザが見逃してしまうといった事態の発生を防止することができる。
【０００７】
特定電子メールデータに有益な添付ファイルが添付されていない場合に、ユーザが当該特定電子メールデータの受信を所望しないことがある。有益な添付ファイルの一例としては、クーポンを含んだファイルが挙げられる。一方、特定電子メールデータに有害な添付ファイルが添付されている場合に、ユーザが当該特定電子メールデータの受信を所望しないことがある。有害な添付ファイルの一例としては、ウィルスを含んだファイルが挙げられる。請求項２に記載の画像出力装置によれば、ユーザが受信を所望しない特定電子メールデータを印刷する際の消耗部材の消費量を、ユーザが受信を所望する特定電子メールデータを印刷する際の消耗部材の消費量よりも少なくすることができる。
【０００８】
特定電子メールデータに特定の情報が含まれている場合に、ユーザが当該特定電子メールデータの受信を所望しないことがある。特定の情報の一例としては、広告ページやウィルスを感染させるページへアクセスするためのＵＲＬ参照が挙げられる。請求項３に記載の画像出力装置によれば、ユーザが受信を所望しない特定電子メールデータを印刷する際の消耗部材の消費量を、ユーザが受信を所望する特定電子メールデータを印刷する際の消耗部材の消費量よりも少なくすることができる。
【０００９】
請求項４に記載の画像出力装置によれば、１枚の印刷用紙に複数ページを印刷する場合に、１枚の印刷用紙の全てのページが埋まる量の特定電子メールデータが蓄積されるまで、印刷を待機することができる。これにより、印刷用紙に空白ページが生成されてしまうことを防止できるため、印刷用紙に効率よく特定電子メールデータを印刷することが可能となる。よって、印刷用紙の消費量を抑制することが可能となる。
【００１０】
請求項５に記載の画像出力装置によれば、特定電子メールデータの受信がユーザによって所望されなくなるほど、特定電子メールデータを印刷する際のページの大きさを小さくすることができる。これにより、不要な特定電子メールデータほど、印刷用紙の消費量を少なくすることが可能となる。
【００１１】
請求項６に記載の画像出力装置によれば、複数の特定電子メールデータを受信する場合に、特定電子メールデータの印刷量をｉ分の１に削減することができる。よって、印刷用紙の消費量を抑制することが可能となる。
【００１２】
請求項７に記載の画像出力装置によれば、特定電子メールデータの受信がユーザによって所望されなくなるほど、印刷されない特定電子メールデータの数を多くすることができる。これにより、不要な特定電子メールデータほど、印刷用紙の消費量を少なくすることが可能となる。
【００１３】
請求項８に記載の画像出力装置によれば、不要な特定電子メールデータほど、使用されるインクやトナーの種類を少なくすることが可能となる。
【００１４】
上記の画像出力装置を実現するための方法、コンピュータプログラム、及び、当該コンピュータプログラムを格納するコンピュータ読取可能記録媒体も、新規で有用である。
【図面の簡単な説明】
【００１５】
【図１】多機能機のブロック図を示す。
【図２】多機能機で実行されるメインフローである。
【図３】登録メールアクション処理を説明するフローの第１部分である。
【図４】登録メールアクション処理を説明するフローの第２部分である。
【図５】登録メールアクション処理を説明するフローの第３部分である。
【図６】登録メールテーブルの一例を示す図である。
【図７】ペナルティ設定テーブルの一例を示す図である。
【図８】メールアクション設定テーブルの一例を示す図である。
【発明を実施するための形態】
【００１６】
＜実施例＞
図１に、本願に係る実施例として例示される多機能機１０（Multifunction Peripheral（ＭＦＰ）ともいう）のブロック図を示す。
【００１７】
＜多機能機１０の構成＞
多機能機１０は、プリンタ機能、スキャナ機能、コピー機能、ファクシミリ機能、電話機能などを有する装置である。多機能機１０は、制御部１２、パネル５０、座標検出部５１、印刷部５４、スキャン部５６、ＦＡＸ部５８、ネットワークインターフェイス６０、等を備える。制御部１２は、ＣＰＵ１４、ＲＯＭ１６、ＲＡＭ３０、ＮＶＲＡＭ（Non Volatile RAM）４０、等を有する。
【００１８】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための基本機能プログラム１８を記憶している。
【００１９】
図１に示すように、多機能機１０の上面正面側には、パネル５０が設けられている。パネル５０の表面には、透明な平板部を有する座標検出部５１が、パネル５０を覆うように備えられている。座標検出部５１は、ユーザの指やスタイラス（タッチパネル用ペン）が接触または接近された位置を示す座標である、指示座標を検出する機能を有する。パネル５０および座標検出部５１は、いわゆるタッチパネルとして機能する。
【００２０】
印刷部５４は、印刷を実行する部位である。スキャン部５６は、原稿を読み取ってデータ化する部位である。ＦＡＸ部５８は、データ化された原稿を送受信する部位である。ネットワークインターフェイス６０は、有線ＬＡＮ回線４に接続されており、各種のデータを送受信する部位である。
【００２１】
多機能機１０は、不図示のメールサーバに有線ＬＡＮ回線４を介してアクセスすることで、電子メールを受信することができる。そして、受信した電子メールを印刷部５４で印刷することができる。
【００２２】
ＮＶＲＡＭ４０には、登録メールテーブルＴＢ１１、ペナルティ設定テーブルＴＢ１２、メールアクション設定テーブルＴＢ１３、添付ファイルアクション設定テーブルＴＢ１４、が記憶されている。
【００２３】
図６に、登録メールテーブルＴＢ１１の一例を示す。登録メールテーブルＴＢ１１は、登録メールアドレス４０１、登録メール種類４０２、印刷ペナルティ４０３、を記憶している。登録メールアドレス４０１は、特定の差出人から送信されてくる電子メールを識別するための情報である。登録メール種類４０２は、登録メールアドレス４０１に登録されたアドレスから送信されてくるメールの種類を識別するための情報である。登録メール種類４０２は、ユーザが割り当てるとしてもよい。「迷惑メール」の登録メール種類４０２は、ユーザが受信する必要のないメールである。「迷惑メール」の一例としては、広告メールが挙げられる。「了解済みメール」の登録メール種類４０２は、ユーザが受信することを了承した電子メールである。「了解済みメール」の一例としては、知り合いから送信されてくるメールが挙げられる。印刷ペナルティ４０３は、登録メール種類４０２が「迷惑メール」であるメールを印刷する際の設定である。印刷ペナルティ４０３の内容については、後述する。
【００２４】
図７に、ペナルティ設定テーブルＴＢ１２の一例を示す。ペナルティ設定テーブルＴＢ１２は、印刷ペナルティ５０１、第１アクション設定５０２、を記憶している。印刷ペナルティ５０１は、登録メール種類４０２が「迷惑メール」であるメールを印刷する際の、アクション設定の段階を表す情報である。印刷ペナルティ５０１の段階には、「０」〜「４」までの５段階が存在する。
【００２５】
第１アクション設定５０２は、印刷設定５０３、保存設定５０４、レポート設定５０５、を備えている。印刷設定５０３は、迷惑メールを印刷部５４で印刷する際の設定である。「フルサイズ」は、印刷用紙の全面にメール内容を印刷する設定である。「２ｉｎ１」、「４ｉｎ１」、「８ｉｎ１」の各々は、迷惑メールのページをそれぞれ１／２、１／４、１／８に縮小して、１枚の印刷用紙に複数のページを印刷する設定である。「カラー」は、迷惑メールをカラー印刷するという設定である。「グレー」は、迷惑メールをモノクロ印刷するという設定である。保存設定５０４は、受信した迷惑メールを保存する否かについての設定である。「保存」は、迷惑メールをＮＶＲＡＭ４０に記憶する設定である。「破棄」は、迷惑メールをＮＶＲＡＭ４０に記憶せずに消去する設定である。レポート設定５０５は、迷惑メールのレポート処理を実行するか否かについての設定である。レポート処理は、定期的（例：１週間ごと）に、多機能機１０で受信した電子メールのタイトルの一覧を印刷するという処理である。「有り」は、レポート処理を実行する設定である。「無し」は、レポート処理を実行しない設定である。
【００２６】
図８に、メールアクション設定テーブルＴＢ１３の一例を示す。メールアクション設定テーブルＴＢ１３は、登録メール種類６０１、受信メール種類６０２、第２アクション設定６０３、を記憶している。登録メール種類６０１は、メールの種類を識別するための情報である。登録メール種類６０１は、ユーザが割り当てるとしてもよい。「未登録メール」の登録メール種類６０１は、登録メールテーブルＴＢ１１の登録メールアドレス４０１に登録されていないアドレスから送信されてきた電子メールである。その他の登録メール種類６０１の内容は、前述した登録メール種類４０２と同様であるため、説明を省略する。受信メール種類６０２は、受信した電子メールの書式の種類を識別するための情報である。カラーメールは、色つきの書式を備えた電子メールである。書式付メールは、各種の書式で記載された電子メールである。書式付メールの一例としては、電子メールの本文をウェブページのレイアウトなどに使うＨＴＭＬで記述した、ＨＴＭＬメールが挙げられる。テキストメールは、文字コードだけを用いて作成された電子メールである。
【００２７】
第２アクション設定６０３は、印刷設定６０４、保存設定６０５、レポート設定６０６、を備えている。印刷設定６０４は、受信したメールを印刷部５４で印刷する際の設定である。「カラー印刷」は、受信したメールをカラー印刷するという設定である。「グレー印刷」は、受信したメールをモノクロ印刷するという設定である。「印刷しない」は、受信したメールを印刷しないという設定である。保存設定６０５の内容は、前述の保存設定５０４の内容と同様である。また、レポート設定６０６の内容は、前述のレポート設定５０５の内容と同様である。よって、説明を省略する。
【００２８】
ＮＶＲＡＭ４０のパラメータ記憶領域４１には、各種のパラメータが記憶されている。パラメータ記憶領域４１に記憶されるパラメータの例としては、ペナルティ増加条件、ペナルティ減少条件、印刷待機情報、レポート用メールタイトル、添付ファイル印刷設定、が挙げられる。
【００２９】
ペナルティ増加条件は、迷惑メールに対応付けられている印刷ペナルティ４０３（図６、登録メールテーブルＴＢ１１を参照）の段階を増加させる条件である。ペナルティ増加条件の一例としては、迷惑メールのデータ内に予め定められた特定の情報が含まれていることや、迷惑メールに有害な添付ファイルが添付されていること、などが挙げられる。特定の情報の一例としては、ＵＲＬ参照や、絵文字などの特殊アイコンが挙げられる。ＵＲＬ参照に従ってウェブページにアクセスすると、ウィルスに感染させられる危険性があるため、ＵＲＬ参照を含む迷惑メールは、悪質性が高い迷惑メールであると考えられるためである。有害な添付ファイルの一例としては、ワープロソフトや表計算ソフトなどのファイルが挙げられる。ワープロソフトや表計算ソフトなどのファイルは、ウィルスを含ませることができるファイルであるためである。
【００３０】
ペナルティ減少条件は、迷惑メールに対応付けられている印刷ペナルティ４０３の段階を減少させる条件である。ペナルティ減少条件の一例としては、迷惑メールに有益な添付ファイルが添付されていること、が挙げられる。有益な添付ファイルの一例としては、ＰＤＦファイルや画像ファイルなどのウィルスを含まないファイルが挙げられる。
【００３１】
印刷待機情報は、印刷を待機している迷惑メールに関する情報である。印刷待機情報には、印刷ステート情報、印刷ペナルティ情報、印刷枚数情報が含まれている。印刷ステート情報は、印刷が実行されたか否かを示す情報である。印刷ペナルティ情報は、印刷を待機している迷惑メールの印刷ペナルティの値を示す情報である。印刷枚数情報は、印刷を待機している迷惑メールを印刷する場合の、印刷ページ数を示す情報である。
【００３２】
レポート用メールタイトルは、前述したレポート処理で印刷される情報である。メールタイトルには、メールの件名を用いてもよい。添付ファイル印刷設定は、添付ファイルのファイル種類と添付ファイルの印刷の実行可否との対応を示す情報である。例えば、添付ファイルが、害の少ないファイル種類である場合には印刷を実行し、有害なファイル種類である場合には印刷を実行しないとしてもよい。害の少ないファイル種類の一例としては、ウィルスを含まないファイル種類（例：「ＰＤＦ」、「ＪＰＥＧ」）が挙げられる。有害なファイル種類の一例としては、ウィルスを含む可能性のあるファイル種類（例：「Ｅｘｅ」、「未登録」）が挙げられる。ここで、「ＰＤＦ」は、ＰＤＦ（Portable Document Formatの略）形式の文書ファイルである。「ＪＰＥＧ」は、静止画像のファイルである。「Ｅｘｅ」は、実行ファイルである。
【００３３】
ＲＡＭ３０は、揮発性のメモリであり、基本機能プログラム１８に従って処理が実行される過程で生成される各種データを記憶するための記憶領域である。ＲＡＭ３０は、不図示のテンポラリ記憶領域を備えている。テンポラリ記憶領域は、迷惑メールを印刷する際の印刷ペナルティの値を、一時的に記憶する領域である。後述するように、ＣＰＵ１４は、テンポラリ記憶領域に記憶される印刷ペナルティの値を書き換えていく。そして、最終的にテンポラリ記憶領域に記憶されている印刷ペナルティの値に基づいて、迷惑メールを印刷する。
【００３４】
＜多機能機１０の動作＞
多機能機１０の動作について、図２から図５のフローチャートを用いて説明する。図２から図５のフローは、多機能機１０の電源がオンされることにより開始され、電源がオフされるまで実行され続ける。
【００３５】
＜メインフロー＞
図２を用いて、多機能機１０で実行されるメインフローを説明する。Ｓ１１０においてＣＰＵ１４は、登録メールテーブルＴＢ１１への登録処理を実行するか否かを判断する。当該判断は、例えば、登録メールテーブルの登録処理を受け付けるボタンがパネル５０に表示されており、当該ボタンがタッチされることによって受け付けられるとしてもよい。登録処理を実行しない場合（Ｓ１１０：ＮＯ）にはＳ１２６へ進み、登録処理を実行する場合（Ｓ１１０：ＹＥＳ）にはＳ１１４へ進む。Ｓ１１４においてＣＰＵ１４は、登録メールテーブルＴＢ１１への、登録メールアドレス４０１、登録メール種類４０２、印刷ペナルティ４０３の登録を実行する。登録メールアドレス４０１の登録は、例えば、ユーザが、特定の差出人から送信されてくる電子メールの差出人アドレスを、パネル５０を操作して入力するとしてもよい。登録メール種類４０２は、ユーザが指定するとしてもよい。印刷ペナルティ４０３は、例えば、登録メール種類４０２を「迷惑メール」に設定することに応じて、自動で初期値の「０」に設定されるとしてもよい。
【００３６】
Ｓ１２６においてＣＰＵ１４は、有線ＬＡＮ回線４を介して、電子メールを不図示のメールサーバから受信したか否かを判断する。受信していない場合（Ｓ１２６：ＮＯ）にはＳ１１０へ戻り、受信した場合（１２６：ＹＥＳ）にはＳ１３０へ進む。Ｓ１３０においてＣＰＵ１４は、受信した電子メールの差出人アドレスと同一のアドレスが、登録メールテーブルＴＢ１１の登録メールアドレス４０１に登録されているか否かを判断する。登録されている場合（Ｓ１３０：ＹＥＳ）にはＳ１３４へ進み、登録メールアクション処理を実行する。登録メールアクション処理の内容は後述する。
【００３７】
一方、登録されていない場合（Ｓ１３０：ＮＯ）にはＳ１５４へ進む。Ｓ１５４においてＣＰＵ１４は、未登録メールアクション処理を実行する。具体的に説明する。図８のメールアクション設定テーブルＴＢ１３おいて、登録メール種類６０１が「未登録メール」の欄を参照する。また、受信した電子メールの受信メール種類６０２を判断する。そして、判断した受信メール種類６０２に対応する、第２アクション設定６０３の欄を参照する。
【００３８】
例えば、受信したメールの受信メール種類６０２が「テキストメール」の場合には、「テキストメール」に対応する読み出し領域Ｒ１０（図８を参照）が、第２アクション設定６０３から読み出される。そして、印刷設定６０４の「グレー印刷」に基づいて、受信した電子メールがモノクロで印刷部５４で印刷される。また、受信した電子メールに添付ファイルが添付されている場合には、添付ファイルが印刷可能であるか否かを、添付ファイル印刷設定に基づいて判断する。添付ファイルの印刷が可能である場合には、印刷設定６０４の「グレー印刷」に基づいて、添付ファイルがモノクロで印刷される。また、保存設定６０５の「破棄」に基づいて、受信した電子メールをＮＶＲＡＭ４０に記憶させない。また、レポート設定６０６の「有り」に基づいて、受信した電子メールの件名が、レポート用メールタイトルとしてＮＶＲＡＭ４０に記憶される。
【００３９】
＜登録メールアクション処理＞
図３を用いて、Ｓ１３４で行われる登録メールアクション処理を説明する。Ｓ２０２においてＣＰＵ１４は、受信した電子メールのメール種類を判断する。具体的には、登録メールテーブルＴＢ１１において、受信した電子メールのアドレスに対応する登録メール種類４０２を参照する。メール種類が了解済メールである場合（Ｓ２０２：了解済メール）には、Ｓ２０４へ進む。Ｓ２０４においてＣＰＵ１４は、了解済メールに応じた処理を実行する。具体的に説明する。図８において、登録メール種類６０１が「了解済メール」の欄を参照する。また、受信した電子メールの受信メール種類を判断する。そして、判断した受信メール種類６０２に対応する、第２アクション設定６０３の欄を参照する。
【００４０】
例えば、受信したメールの受信メール種類６０２が「カラーメール」の場合には、「カラーメール」に対応する読み出し領域Ｒ１１（図８を参照）が、第２アクション設定６０３から読み出される。そして、印刷設定６０４の「グレー印刷」に基づいて、受信した電子メールがモノクロで印刷部５４で印刷される。また、受信した電子メールに添付ファイルが添付されている場合には、添付ファイルが印刷可能であるか否かを、添付ファイル印刷設定に基づいて判断する。添付ファイルの印刷が可能である場合には、印刷設定６０４の「グレー印刷」に基づいて、添付ファイルがモノクロで印刷される。また、保存設定６０５の「保存」に基づいて、受信した電子メールがＮＶＲＡＭ４０に記憶される。また、レポート設定６０６の「有り」に基づいて、受信した電子メールの件名が、レポート用メールタイトルとしてＮＶＲＡＭ４０に記憶される。そしてフローが終了する。
【００４１】
一方、Ｓ２０２において、受信したメールのメール種類が迷惑メールである場合（Ｓ２０２：迷惑メール）には、Ｓ２１０へ進む。Ｓ２１０においてＣＰＵ１４は、受信した迷惑メールに対応付けられている印刷ペナルティ４０３の値を、ＲＡＭ３０のテンポラリ記憶領域に記憶させる。
【００４２】
Ｓ２１８においてＣＰＵ１４は、受信したメールが、ペナルティ増加条件またはペナルティ減少条件を満たすか否かを判断する。具体的には、迷惑メールのデータ内に、予め定められた特定の情報（例：ＵＲＬ参照）が含まれている場合には、ペナルティ増加条件を満たすと判断される。ペナルティ増加条件およびペナルティ減少条件を満たさない場合（Ｓ２１８：ＮＯ）にはＳ２３４へ進み、何れか一方の条件を満たす場合には（Ｓ２１８：ＹＥＳ）にはＳ２２２へ進む。
【００４３】
Ｓ２２２においてＣＰＵ１４は、受信した迷惑メールに対応付けられている印刷ペナルティ４０３を増減させる。具体的には、登録メールテーブルＴＢ１１において、受信した電子メールのアドレスに対応する印刷ペナルティ４０３の欄を参照する。そして、迷惑メールがペナルティ増加条件を満たす場合には、印刷ペナルティ４０３の値を１つ増加させる。なお、印刷ペナルティ４０３が「４」である場合には、最大値であるため、それ以上増加させない。また、迷惑メールがペナルティ減少条件を満たす場合には、印刷ペナルティ４０３の値を１つ減少させる。なお、印刷ペナルティ４０３が「０」である場合には、最小値であるため、それ以上減少させない。
【００４４】
Ｓ２２６においてＣＰＵ１４は、Ｓ２２２で増減後の印刷ペナルティ４０３の値を、ＲＡＭ３０のテンポラリ記憶領域に上書き記憶させる。そしてＳ２３４へ進む。
【００４５】
Ｓ２３４においてＣＰＵ１４は、受信したメールに添付ファイルが添付されているか否かを判断する。添付されていない場合（Ｓ２３４：ＮＯ）にはＳ２６０へ進み、添付されている場合（Ｓ２３４：ＹＥＳ）にはＳ２３８へ進む。Ｓ２３８においてＣＰＵ１４は、添付ファイルがペナルティ増加条件またはペナルティ減少条件を満たすか否かを判断する。具体的には、添付ファイルが有害なファイル（例：ワープロソフトのファイル）である場合には、ペナルティ増加条件を満たすと判断される。また添付ファイルが、有益な添付ファイル（例：ＰＤＦファイル）である場合には、ペナルティ減少条件を満たすと判断される。ペナルティ増加条件およびペナルティ減少条件を満たさない場合（Ｓ２３８：ＮＯ）にはＳ２６０へ進み、何れか一方の条件を満たす場合には（Ｓ２３８：ＹＥＳ）にはＳ２４２へ進む。Ｓ２４２においてＣＰＵ１４は、受信した迷惑メールに対応付けられている印刷ペナルティ４０３を増減させる。印刷ペナルティ４０３を増減させる方法は、前述したＳ２２２で用いられる方法と同様であるため、説明を省略する。そしてＳ２４６へ進む。Ｓ２４６においてＣＰＵ１４は、Ｓ２４２で増減後の印刷ペナルティ４０３の値を、ＲＡＭ３０のテンポラリ記憶領域に上書き記憶させる。
【００４６】
Ｓ２６０においてＣＰＵ１４は、テンポラリ記憶領域に記憶されている印刷ペナルティの値が「０」であるか否かを判断する。印刷ペナルティの値が「０」である場合（Ｓ２６０：ＹＥＳ）には、Ｓ２６４へ進む。Ｓ２６４においてＣＰＵ１４は、印刷ペナルティ「０」に対応する処理を実行する。具体的に説明する。図７のペナルティ設定テーブルＴＢ１２において、印刷ペナルティ５０１の「０」に対応する第１アクション設定５０２を読みだす。そして、印刷設定５０３の「フルサイズ、カラー」に基づいて、縮小されないサイズのカラー印刷で、受信した迷惑メールが印刷される。また、受信した電子メールに添付ファイルが添付されている場合には、添付ファイルが印刷可能であるか否かを、添付ファイル印刷設定に基づいて判断する。添付ファイルの印刷が可能である場合には、印刷設定５０３の「フルサイズ、カラー」に基づいて、縮小されないサイズのカラー印刷で、添付ファイルが印刷される。また、保存設定６０５の「保存」に基づいて、受信した迷惑メールがＮＶＲＡＭ４０に記憶される。また、レポート設定５０５の「有り」に基づいて、受信した迷惑メールの件名が、レポート用メールタイトルとしてＮＶＲＡＭ４０に記憶される。
【００４７】
一方、Ｓ２６０において、印刷ペナルティの値が「０」でない場合（Ｓ２６０：ＮＯ）には、Ｓ２７０へ進む。Ｓ２７０においてＣＰＵ１４は、テンポラリ記憶領域に記憶されている印刷ペナルティの値が「１」であるか否かを判断する。印刷ペナルティの値が「１」である場合（Ｓ２７０：ＹＥＳ）には、Ｓ２７４へ進む。Ｓ２７４においてＣＰＵ１４は、印刷ペナルティ「１」に対応する処理を実行する。具体的に説明する。図７のペナルティ設定テーブルＴＢ１２において、印刷ペナルティ５０１の「１」に対応する第１アクション設定５０２を読みだす。そして、印刷設定５０３の「２ｉｎ１、グレー」に基づいて、１／２の縮小サイズのモノクロ印刷で、迷惑メールが印刷される。また、受信した電子メールに添付ファイルが添付されている場合には、添付ファイルが印刷可能であるか否かを、添付ファイル印刷設定に基づいて判断する。添付ファイルの印刷が可能である場合には、印刷設定５０３の「２ｉｎ１、グレー」に基づいて、１／２の縮小サイズのモノクロ印刷で、添付ファイルが印刷される。また、保存設定６０５の「保存」に基づいて、受信した迷惑メールがＮＶＲＡＭ４０に記憶される。また、レポート設定５０５の「有り」に基づいて、受信した迷惑メールの件名が、レポート用メールタイトルとしてＮＶＲＡＭ４０に記憶される。
【００４８】
一方、Ｓ２７０において、印刷ペナルティの値が「１」でない場合（Ｓ２７０：ＮＯ）には、Ｓ２８０へ進む。Ｓ２８０においてＣＰＵ１４は、テンポラリ記憶領域に記憶されている印刷ペナルティの値が「２」であるか否かを判断する。印刷ペナルティの値が「２」である場合（Ｓ２８０：ＹＥＳ）にはＳ２８４へ進む。
【００４９】
Ｓ２８４においてＣＰＵ１４は、印刷ペナルティの値が「２」である迷惑メールの印刷ページ、および、印刷ペナルティの値が「２」の迷惑メールに添付されている添付ファイルの印刷ページが、合計４ページ分蓄積されたか否かを判断する。具体的には、ＮＶＲＡＭ４０に記憶されている印刷待機情報を参照し、印刷ペナルティの値が「２」であって、印刷を待機している迷惑メールの印刷ページ数を抽出する。また、印刷を待機している迷惑メールに添付ファイルが添付されている場合には、添付ファイルの印刷ページ数を抽出する。そして、抽出したページ数を合計し、合計した印刷ページ数が４ページ以上であるか否かを判断する。４ページ分蓄積されていない場合（Ｓ２８４：ＮＯ）には、受信した迷惑メールの印刷を待機する場合であると判断され、Ｓ２９１へ進む。Ｓ２９１においてＣＰＵ１４は、受信した迷惑メールを印刷することなく、ＮＶＲＡＭ４０に記憶させる。また、Ｓ２９２においてＣＰＵ１４は、受信した迷惑メールの印刷待機情報を、ＮＶＲＡＭ４０に記憶させる。そしてフローを終了する。
【００５０】
一方、Ｓ２８４において、迷惑メールの印刷ページおよび添付ファイルの印刷ページが４ページ分蓄積された場合（Ｓ２８４：ＹＥＳ）には、Ｓ２８８へ進む。Ｓ２８８においてＣＰＵ１４は、印刷ペナルティ「２」に対応する処理を実行する。具体的に説明する。図７のペナルティ設定テーブルＴＢ１２において、印刷ペナルティ「２」に対応する第１アクション設定５０２を読みだす。また、ＮＶＲＡＭ４０に蓄積されている迷惑メールの印刷ページのデータと、今回受信した迷惑メールの印刷ページのデータと、（蓄積されている迷惑メールや今回受信した迷惑メールに添付ファイルが添付されている場合には）添付ファイルの印刷ページのデータとを合わせて、４ページ分の印刷ページを生成する。そして、印刷設定５０３の「４ｉｎ１、グレー」に基づいて、１／４の縮小サイズのモノクロ印刷で、生成した４ページ分の印刷ページを、１枚の印刷用紙に印刷する。また、保存設定６０５の「保存」に基づいて、受信した迷惑メールがＮＶＲＡＭ４０に記憶される。また、レポート設定５０５の「有り」に基づいて、受信した迷惑メールの件名が、レポート用メールタイトルとしてＮＶＲＡＭ４０に記憶される。
【００５１】
Ｓ２９０においてＣＰＵ１４は、Ｓ２８８で印刷した全ての迷惑メールに対応付けられている印刷待機情報の印刷ステート情報を、「印刷済み」へ変更する。これにより、印刷を待機していた迷惑メールが、印刷対象から削除される。そしてフローを終了する。
【００５２】
一方、Ｓ２８０において、印刷ペナルティの値が「２」でない場合（Ｓ２８０：ＮＯ）には、Ｓ３００へ進む。Ｓ３００においてＣＰＵ１４は、テンポラリ記憶領域に記憶されている印刷ペナルティの値が「３」であるか否かを判断する。印刷ペナルティの値が「３」でない場合（Ｓ３００：ＮＯ）には、印刷ペナルティの値が「４」であると判断され、Ｓ３０２へ進む。Ｓ３０２においてＣＰＵ１４は、印刷ペナルティ「４」に対応する処理を実行する。具体的に説明する。図７のペナルティ設定テーブルＴＢ１２において、印刷ペナルティ「４」に対応する第１アクション設定５０２を読みだす。そして、印刷設定５０３の「印刷不実行」に基づいて、受信した電子メールの印刷を取りやめる。また、保存設定６０５の「破棄」に基づいて、受信した電子メールをＮＶＲＡＭ４０に記憶させない。また、レポート設定５０５の「無し」に基づいて、受信した迷惑メールの件名が、ＮＶＲＡＭ４０に記憶されない。
【００５３】
一方、Ｓ３００において、印刷ペナルティの値が「３」である場合（Ｓ３００：ＹＥＳ）には、Ｓ３０４へ進む。Ｓ３０４においてＣＰＵ１４は、印刷ペナルティの値が「３」である迷惑メールの印刷ページ、および、印刷ペナルティの値が「３」の迷惑メールに添付されている添付ファイルの印刷ページが、合計８ページ分蓄積されたか否かを判断する。当該判断方法は、Ｓ２８４で説明した方法と同様であるため、説明を省略する。８ページ分蓄積されていない場合（Ｓ３０４：ＮＯ）には、受信した迷惑メールの印刷を待機する場合であると判断され、Ｓ３１１へ進む。Ｓ３１１においてＣＰＵ１４は、受信した迷惑メールを印刷することなく、ＮＶＲＡＭ４０に記憶させる。また、Ｓ３１２においてＣＰＵ１４は、受信した迷惑メールに対応する印刷待機情報を、ＮＶＲＡＭ４０に記憶させる。そしてフローを終了する。
【００５４】
一方、Ｓ３０４において、迷惑メールの印刷ページおよび添付ファイルの印刷ページが８ページ分蓄積された場合（Ｓ３０４：ＹＥＳ）には、Ｓ３０８へ進む。Ｓ３０８においてＣＰＵ１４は、印刷ペナルティ「３」に対応する処理を実行する。具体的に説明する。図７のペナルティ設定テーブルＴＢ１２において、印刷ペナルティ「３」に対応する第１アクション設定５０２を読みだす。また、ＮＶＲＡＭ４０に蓄積されている迷惑メールの印刷ページのデータと、今回受信した迷惑メールの印刷ページのデータと、（蓄積されている迷惑メールや今回受信した迷惑メールに添付ファイルが添付されている場合には）添付ファイルの印刷ページのデータとを合わせて、８ページ分の印刷ページを生成する。そして、印刷設定５０３の「８ｉｎ１、グレー」に基づいて、１／８の縮小サイズのモノクロ印刷で、生成した８ページ分の印刷ページが、１枚の印刷用紙に印刷される。また、保存設定６０５の「保存」に基づいて、受信した電子メールがＮＶＲＡＭ４０に記憶される。また、レポート設定５０５の「有り」に基づいて、受信した電子メールのタイトルがＮＶＲＡＭ４０に記憶される。
【００５５】
Ｓ３１０においてＣＰＵ１４は、Ｓ３０８で印刷した全ての迷惑メールに対応付けられている印刷待機情報の印刷ステート情報を、「印刷済み」へ変更する。これにより、印刷を待機していた迷惑メールが、印刷対象から削除される。そしてフローを終了する。
【００５６】
＜動作例＞
多機能機１０の動作例を説明する。例として、メールアクション設定テーブルへの登録処理（Ｓ１１４）をユーザが事前に行うことにより、図６に示す登録メールテーブルＴＢ１１がＮＶＲＡＭ４０に記憶されている場合を説明する。また例として、「abcdefg@xxxx-shop.com」の送信元から、有益な１ページ分の添付ファイル（例：商品の割引券のＰＤＦファイル）が添付された、１ページ分のメールを受信する場合を説明する。また例として、受信したメールの本文には、ＵＲＬ参照などの特定の情報が含まれていない場合を説明する。また例として、印刷ペナルティの値が「２」である迷惑メールが、印刷を２ページ分待機している場合を説明する。
【００５７】
ＣＰＵ１４は、「abcdefg@xxxx-shop.com」の送信元から電子メールを受信する（Ｓ１２６：ＹＥＳ）。電子メールの差出人アドレスと同一のアドレスが、登録メールテーブルＴＢ１１の登録メールアドレス４０１に登録されているため（図６、領域Ｒ２０を参照）（Ｓ１３０：ＹＥＳ）、登録メールアクション処理（Ｓ１３４）を実行する。
【００５８】
受信した電子メールのアドレスに対応する登録メール種類４０２が「迷惑メール」であるため（図６、領域Ｒ２１参照）、当該メールが迷惑メールであると識別される。ＣＰＵ１４は、受信した迷惑メールに対応付けられている印刷ペナルティ４０３の値である「３」を、ＲＡＭ３０のテンポラリ記憶領域に記憶させる（Ｓ２１０）（図６、領域Ｒ２２参照）。
【００５９】
受信した迷惑メールの本文には、特定の情報が含まれていないため、ペナルティ増加条件およびペナルティ減少条件を満たさないと判断される（Ｓ２１８：ＮＯ）。受信した迷惑メールには添付ファイルが添付されている（Ｓ２３４：ＹＥＳ）。添付ファイルはＰＤＦファイルであるため、有益な添付ファイルであると判断され、ペナルティ減少条件を満たすと判断される（Ｓ２３８：ＹＥＳ）。ＣＰＵ１４は、受信した迷惑メールに対応付けられている印刷ペナルティ４０３を、「３」から「２」へ減少させる（Ｓ２４２）（図６、領域Ｒ２３参照）。ＣＰＵ１４は、減少後の印刷ペナルティ４０３の値である「２」を、ＲＡＭ３０のテンポラリ記憶領域に上書き記憶させる（Ｓ２４６）。
【００６０】
ＣＰＵ１４は、テンポラリ記憶領域に記憶されている印刷ペナルティの値が「２」であると判断する（Ｓ２６０：ＮＯ、Ｓ２７０：ＮＯ、Ｓ２８０：ＹＥＳ）。本動作例では、印刷ペナルティの値が「２」である迷惑メールが、印刷を２ページ分待機している場合を説明している。また、１ページ分の添付ファイルが添付された、１ページ分の迷惑メールを受信した場合を説明している。よって、迷惑メールを今回受信したことで、印刷ペナルティの値が「２」である迷惑メールの印刷ページおよび添付ファイルの印刷ページが、合計４ページ蓄積される（Ｓ２８４：ＹＥＳ）。
【００６１】
ＣＰＵ１４は、印刷ペナルティ「２」に対応する処理を実行する（Ｓ２８８）。具体的には、図７のペナルティ設定テーブルＴＢ１２において、印刷ペナルティ「２」に対応する第１アクション設定５０２を読みだす。また、ＮＶＲＡＭ４０に蓄積されている迷惑メールの２ページ分の印刷データと、今回受信した迷惑メールの１ページ分の印刷データと、今回受信した添付ファイルの１ページ分の印刷データを統合して、４ページ分の印刷データを生成する。そして、印刷設定５０３の「４ｉｎ１、グレー」に基づいて、１／４の縮小サイズのモノクロ印刷で、生成した４ページ分の印刷データが、１枚の印刷用紙に印刷される。また、保存設定６０５の「保存」に基づいて、受信した迷惑メールがＮＶＲＡＭ４０に記憶される。また、レポート設定５０５の「有り」に基づいて、受信した迷惑メールの件名が、レポート用メールタイトルとしてＮＶＲＡＭ４０に記憶される。ＣＰＵ１４は、Ｓ２８８で印刷された全ての迷惑メールに対応付けられている印刷待機情報の印刷ステート情報を、「印刷済み」へ変更する（Ｓ２９０）。そしてフローが終了する。
【００６２】
＜効果＞
本実施例に係る多機能機１０の効果を説明する。受信した迷惑メールやメールに添付されている添付ファイルが、ペナルティ増加条件を満たす回数が多くなるほど（Ｓ２１８：ＹＥＳ、Ｓ２３８：ＹＥＳ）、印刷ペナルティ４０３の段階が上昇し、印刷設定５０３において、Ｎｉｎ１印刷の「Ｎ」の値が大きくなる。そして、印刷ペナルティ４０３の段階が最大値である「４」になると、迷惑メールが印刷されなくすることができる。すなわち、印刷ペナルティ４０３の段階が大きくなるほど、印刷部５４による印刷で使用される印刷用紙の消費量を少なくすることができる。また、印刷ペナルティ４０３の段階が「０」から「１」以上へ大きくなることに応じて、印刷設定５０３がカラー印刷からグレー印刷に移行する。すなわち、印刷ペナルティ４０３の段階が大きくなるほど、印刷部５４による印刷で使用されるインクの種類を削減することができる。以上より、迷惑メールを印刷する際に使用する消耗部材の消費量を、迷惑メールの内容に応じて動的に変化させることが可能となる。すなわち、迷惑度の高い迷惑メールよりも迷惑度の低い迷惑メールの方を、より見やすく印刷することができる。これにより、迷惑メールを印刷することによる消耗部材の不要な消費を抑えつつ、迷惑メールの内容をユーザに確認させることが可能となる。よって、迷惑メール中の有益な情報を多機能機１０のユーザが見逃してしまう、といった事態の発生を防止することができる。
【００６３】
印刷設定５０３が、迷惑メールの複数ページを１枚の印刷用紙に印刷するという設定内容（例：４ｉｎ１、８ｉｎ１）である場合に、１枚の印刷用紙の全てのページが埋まる量の迷惑メールが蓄積されるまで、迷惑メールの印刷を待機させることができる（Ｓ２９２、Ｓ３１２）。これにより、印刷用紙に空白ページが生成されてしまうことを防止できるため、印刷用紙に効率よく迷惑メールを印刷することが可能となる。よって、迷惑メールを印刷する際の、印刷用紙の消費量を抑制することが可能となる。
【００６４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。以下に変形例を示す。
【００６５】
＜変形例＞
消耗部材の消費量を少なくすることができる設定は、各種の設定を用いることができる。例えば、ペナルティ設定テーブルＴＢ１２の印刷設定５０３において、迷惑メールをｉ通（ｉは１以上の自然数）受信することに応じて、ｉ通の迷惑メールデータのうちの何れか１通を印刷する設定としてもよい。そして、印刷ペナルティ５０１の段階が上がるほど、ｉの値が大きくなるとしてもよい。具体例を説明する。ペナルティ設定テーブルＴＢ１２において、印刷ペナルティ５０１が「２」および「３」のそれぞれの場合の印刷設定５０３を、「４通のうち何れか１通を印刷」、「８通のうち何れか１通を印刷」に変更してもよい。この場合、Ｓ２８４において、印刷ペナルティの値が「２」である迷惑メールを４通分蓄積したか否かを判断すればよい。４通分蓄積されていない場合（Ｓ２８４：ＮＯ）には、受信した迷惑メールを印刷することなくＮＶＲＡＭ４０に記憶させ（Ｓ２９１）、記憶させた迷惑メールの印刷待機情報をＮＶＲＡＭ４０に記憶させるとしてもよい（Ｓ２９２）。そして４通分蓄積された場合（Ｓ２８４：ＹＥＳ）には、ＮＶＲＡＭ４０に蓄積されている、印刷ペナルティの値が「２」の４通の迷惑メールのうち、何れか１通が印刷されるとしてもよい。そして、印刷を待機していた４通の迷惑メールの全てが、印刷対象から削除されるとしてもよい（Ｓ２９０）。これにより、複数の迷惑メールデを受信する場合に、迷惑メールの印刷量をｉ分の１に削減することができる。よって、印刷用紙の消費量を抑制することが可能となる。またこれにより、迷惑メールの受信がユーザによって所望されなくなるほど（すなわち、印刷ペナルティの値が高くなるほど）、印刷されない迷惑メールの数を多くすることができる。これにより、不要な迷惑メールほど、印刷用紙の消費量を少なくすることが可能となる。
【００６６】
なお、図４のＳ２７４において、印刷ペナルティ「１」に対応する処理を実行する場合に、迷惑メールの印刷ページを２ページ分蓄積させ、２ページ分の印刷ページを１枚の印刷用紙に印刷する処理を行っても良い。この場合、Ｓ２７４の処理に代えて、Ｓ２８０〜Ｓ２９２の処理を実行すればよい。また、Ｓ２８０〜Ｓ２９２の各ステップにおいて、印刷ペナルティ「２」を「１」に読み替え、「４ページ」を「２ページ」に読み替えればよい。
【００６７】
ペナルティ増減を判断する際に使用する、特定の情報の一例として、ＵＲＬ参照や絵文字などの特殊アイコンを挙げたが、これらに限られない。特定の文字列（例：特定の差出人名）などを、特定の情報として用いることも可能である。
【００６８】
迷惑メールとともに、迷惑メールに添付された添付ファイルも印刷する形態を説明したが、この形態に限られない。迷惑メールの本文のみを印刷する形態であってもよい。
【００６９】
印刷ペナルティ５０１の段階には、「０」〜「４」までの５段階に限られない。４段階以下、または６段階以上であってもよい。段階数を多くするほど、迷惑メールの印刷態様をよりち密に制御することが可能となる。
【００７０】
本願の技術の特徴は、メールの印刷形態に関する点にある。よって、本願の技術の適用範囲は多機能機１０に限定されず、印刷機能と通信機能を有する各種の装置（ＦＡＸ機など）に適用可能である。
【００７１】
なお、ＲＯＭ１６やＮＶＲＡＭ４０に記憶されている各種の情報は、外部記憶装置に記憶されるとしてもよい。そして外部記憶装置から各種の情報が読み出され、ＲＡＭ３０に一旦記憶された上で、各種の処理が行なわれるとしてもよい。外部記憶装置の例としては、メモリーカードや外付のハードディスクなどが挙げられる。
【００７２】
なお、迷惑メールは特定電子メールデータの一例である。登録メールアドレス４０１は識別情報の一例である。第１アクション設定５０２は第１印刷設定の一例である。登録メールテーブルＴＢ１１は記憶部の一例である。Ｓ１１４を実行するＣＰＵ１４は、印刷設定記憶手段の一例である。了解済メール、未登録メールは、他の電子メールデータの一例である。第２アクション設定６０３は第２印刷設定の一例である。Ｓ２６４、Ｓ２７４、Ｓ２８８、Ｓ３０８、Ｓ２０４を実行するＣＰＵ１４は、印刷手段の一例である。印刷用紙、カラーインクは、消耗部材の一例である。ペナルティ増加条件、ペナルティ減少条件は、所定条件の一例である。ＵＲＬ参照、特殊アイコンは、特定の情報の一例である。Ｓ２９２、Ｓ３１２を実行するＣＰＵ１４は、印刷対象記憶手段の一例である。
【符号の説明】
【００７３】
１０：多機能機、１４：ＣＰＵ、５０：パネル、ＴＢ１１：登録メールテーブル、ＴＢ１２：ペナルティ設定テーブル、ＴＢ１３：メールアクション設定テーブル、ＴＢ１４：添付ファイルアクション設定テーブル
【図１】
2014072616.tif 000003
【図２】
2014072616.tif 000004
【図３】
2014072616.tif 000005
【図４】
2014072616.tif 000006
【図５】
2014072616.tif 000007
【図６】
2014072616.tif 000008
【図７】
2014072616.tif 000009
【図８】
2014072616.tif 000010